(57)【要約】【課題】  会員登録や口座開設といった煩雑な諸手続を必要とせず、一過的なユーザが公営競技の投票や払い戻しをキャッシュレスで行うことのできるシステムを提供する。【解決手段】  ユーザが当日会員登録端末６から入力した認証情報（口座番号Ｄ２，口座番号用パスワードＤ３）に基いて金融機関における預金口座の存在の有無と当該預金口座の使用権の適否を判定し、預金口座の存在と当該預金口座の使用権の適性が確認された場合に限り、ユーザが希望する希望移動金額Ｘ０を金融機関端末５から引き落としてユーザに対応するデータベースＦ内のレコードに残高の初期値Ｄ５として記憶し、その後、この残高Ｄ５を電話投票端末４により管理して、ユーザによる場外投票端末７の操作に応じて残高Ｄ５の範囲内で場外投票券の購入を許容すると共に電話投票端末４に入力される競技結果に基いて残高Ｄ５に対する払戻金の加算を行う。【選択図】図１
2006155318.tif 000002
【特許請求の範囲】
【請求項１】
電話を利用した場外投票券の販売と払戻金の決済を管理する電話投票端末と個人の預金口座のデータを管理する金融機関端末と場外投票券発売所に設置された当日会員登録端末と場外投票端末とをネットワークで接続した場外投票券販売システムであって、
ユーザが前記当日会員登録端末から入力した認証情報に基いて前記金融機関端末が当該ユーザの預金口座の存在の有無と当該預金口座の使用権の適否を判定し、預金口座の存在と当該預金口座の使用権の適性が確認された場合に限り、当該ユーザが希望する希望移動金額を前記金融機関端末から前記電話投票端末に引き落として前記ユーザに対応するデータベース内のレコードに残高の初期値として記憶し、その後、この残高を前記電話投票端末により管理して、前記ユーザによる前記場外投票端末の操作に応じて、前記電話投票端末に引き落とされた残高の範囲内で場外投票券の購入を許容すると共に前記電話投票端末に入力される競技結果に基いて残高に対する払戻金の加算を行い、遅くとも当日における全競技の終了時点で前記電話投票端末側の処理で前記レコードに記憶されている残高を前記金融機関端末に振り込むことを特徴とした場外投票券販売システム。
【請求項２】
前記レコードに記憶されている残高を前記金融機関端末に振り込んだ時点で前記データベースのレコードを削除することを特徴とした請求項１記載の場外投票券販売システム。
【請求項３】
電話を利用した場外投票券の販売と払戻金の決済を管理する電話投票端末と個人の預金口座のデータを管理する金融機関端末と場外投票券発売所に設置された当日会員登録端末と場外投票端末とをネットワークで接続した場外投票券販売システムであって、
前記当日会員登録端末には、当日会員用パスワードおよび預金口座の認証情報を入力するための登録情報入力手段と、該登録情報入力手段から入力された当日会員用パスワードおよび預金口座の認証情報を前記電話投票端末に送信する登録要求情報送信手段と、前記電話投票端末から受信した当日会員番号を表示する会員番号表示手段が設けられ、
前記電話投票端末には、前記当日会員登録端末から受信した当日会員用パスワードおよび預金口座の認証情報を一時記憶する一時記憶手段と、該預金口座の認証情報を前記金融機関端末に送信する認証情報送信手段と、前記金融機関端末からの許諾信号を受けて新規の当日会員番号を作成し、前記一時記憶手段に記憶されている当日会員用パスワードおよび預金口座の認証情報と前記当日会員番号とを対応させて記憶させると共に残高のデータフィールドの値を初期化した新規の当日会員用レコードをデータベースに登録する会員レコード登録手段と、該会員レコード登録手段により作成された当日会員番号を前記当日会員登録端末に送信する会員番号送信手段と、前記場外投票端末から希望移動金額と共に受信した当日会員番号および当日会員用パスワードを有する当日会員用レコードが前記データベースに登録されているか否かを判定し、登録されている場合に限り、該当日会員用レコードに記憶されている預金口座の認証情報に基いて前記金融機関端末からの引き落としを行って該当日会員用レコードの残高のデータフィールドの値に前記希望移動金額を加算する当日口座設定手段と、前記場外投票端末から場外投票券の販売要求と共に受信した当日会員番号および当日会員用パスワードを有する当日会員用レコードが前記データベースに登録されているか否かを判定し、登録されている場合に限り、該当日会員用レコードの残高のデータフィールドの値から前記場外投票券に相当する金額を減算し、該当日会員用レコードの投票内容のデータフィールドに前記場外投票券に相当する投票内容を設定する投票内容設定手段と、該電話投票端末に入力される競技結果に基いて、的中に一致する投票内容を記憶した当日会員用レコードの残高のデータフィールドの値に払戻金を加算する払戻金加算手段と、全競技の終了を検知し、各当日会員用レコードに記憶されている預金口座の認証情報に基いて当該当日会員用レコードの残高のデータフィールドの値で前記金融機関端末への振り込み処理を行ってから当日会員用レコードの内容を前記データベースから削除する当日会員データ清算削除手段とが設けられ、
前記金融機関端末には、前記電話投票端末から受信した預金口座の認証情報に基いて前記預金口座のデータを参照し預金口座の存在の有無と当該預金口座の使用権の適否を判定する判定手段と、該判定手段により預金口座の存在と当該預金口座の使用権の適性が確認された場合に前記電話投票端末に許諾信号を送信する許諾信号送信手段と、預金口座の認証情報に基いて前記電話投票端末の当日口座設定手段からの引き落としを受け付ける引き落とし受付手段と、預金口座の認証情報に基いて前記電話投票端末の当日会員データ清算削除手段からの振り込みを受け付ける振り込み受付手段とが設けられ、
前記場外投票端末には、当日会員番号および当日会員用パスワードと希望移動金額ならびに場外投票券の販売要求を入力するための要求入力手段と、該要求入力手段から入力された当日会員番号および当日会員用パスワードと希望移動金額を前記電話投票端末に送信する当日口座設定要求データ送信手段と、前記要求入力手段から入力された当日会員番号および当日会員用パスワードと場外投票券の販売要求を前記電話投票端末に送信する販売要求データ送信手段とが設けられていることを特徴とした場外投票券販売システム。
【請求項４】
前記場外投票端末には、前記要求入力手段から入力された当日会員番号および当日会員用パスワードと終了要求を前記電話投票端末に送信する終了要求データ送信手段が併設され、前記電話投票端末には、前記場外投票端末から終了要求と共に受信した当日会員番号および当日会員用パスワードに基いて、該当日会員番号および当日会員用パスワードを有する当日会員用レコードに記憶されている預金口座の認証情報に従って当該当日会員用レコードの残高のデータフィールドの値で前記金融機関端末への振り込み処理を行ってから該当日会員用レコードの内容を前記データベースから削除する当日会員データ個別清算削除手段が併設されていることを特徴とした請求項３記載の場外投票券販売システム。
【請求項５】
前記認証情報が口座番号と当該口座番号用パスワードで構成されていることを特徴とした請求項３または請求項４記載の場外投票券販売システム。
【請求項６】
前記判定手段は、預金口座の使用権の適否の判定に際し、口座名義人が成人に達しているか否かを判定することを特徴とした請求項３，請求項４または請求項５記載の場外投票券販売システム。
【請求項７】
金融機関端末と当日会員登録端末と場外投票端末にネットワーク経由で接続され、電話を利用した場外投票券の販売と払戻金の決済を管理する電話投票端末のマイクロプロセッサを、
前記当日会員登録端末から受信した当日会員用パスワードおよび預金口座の認証情報を一時記憶する一時記憶手段、
該預金口座の認証情報を前記金融機関端末に送信する認証情報送信手段、
前記金融機関端末からの許諾信号を受けて新規の当日会員番号を作成し、前記一時記憶手段に記憶されている当日会員用パスワードおよび預金口座の認証情報と前記当日会員番号とを対応させて記憶させると共に残高のデータフィールドの値を初期化した新規の当日会員用レコードをデータベースに登録する会員レコード登録手段、
該会員レコード登録手段により作成された当日会員番号を前記当日会員登録端末に送信する会員番号送信手段、
前記場外投票端末から希望移動金額と共に受信した当日会員番号および当日会員用パスワードを有する当日会員用レコードが前記データベースに登録されているか否かを判定し、登録されている場合に限り、該当日会員用レコードに記憶されている預金口座の認証情報に基いて前記金融機関端末からの引き落としを行って該当日会員用レコードの残高のデータフィールドの値に前記希望移動金額を加算する当日口座設定手段、
前記場外投票端末から場外投票券の販売要求と共に受信した当日会員番号および当日会員用パスワードを有する当日会員用レコードが前記データベースに登録されているか否かを判定し、登録されている場合に限り、該当日会員用レコードの残高のデータフィールドの値から前記場外投票券に相当する金額を減算し、該当日会員用レコードの投票内容のデータフィールドに前記場外投票券に相当する投票内容を設定する投票内容設定手段、
該電話投票端末に入力される競技結果に基いて、的中に一致する投票内容を記憶した当日会員用レコードの残高のデータフィールドの値に払戻金を加算する払戻金加算手段、および、
全競技の終了を検知し、各当日会員用レコードに記憶されている預金口座の認証情報に基いて当該当日会員用レコードの残高のデータフィールドの値で前記金融機関端末への振り込み処理を行ってから当日会員用レコードの内容を前記データベースから削除する当日会員データ清算削除手段として機能させることを特徴とした電話投票端末用プログラム。
【請求項８】
前記マイクロプロセッサを、更に、前記場外投票端末から終了要求と共に受信した当日会員番号および当日会員用パスワードに基いて、該当日会員番号および当日会員用パスワードを有する当日会員用レコードに記憶されている預金口座の認証情報に基いて当該当日会員用レコードの残高のデータフィールドの値で前記金融機関端末への振り込み処理を行ってから該当日会員用レコードの内容を前記データベースから削除する当日会員データ個別清算削除手段として機能させることを特徴とした請求項７記載の電話投票端末用プログラム。
【発明の詳細な説明】
【技術分野】
【０００１】
本発明は、競馬，競艇，競輪，オートレース等の公営競技に好適な場外投票券販売システムおよび電話投票端末用プログラムの改良に関する。
【背景技術】
【０００２】
公営競技の場外投票券発売所における投票や払戻は現金によるものが多く、また、キャッシュレスを謳っている場内投票においても、キャッシュレスで実際にできることは投票のみであり、投票に必要とされる原資については、そこへ現金を持って行って投票を行い、的中金や投票に用いなかった金については、払い戻しを受けるなどをし、現金を持ち帰るのが一般的であった。キャッシュレス投票については、半永続的な会員制が採用されるのが普通である。
【０００３】
また、当日のみ有効な一日口座を開設し、会員カードを利用して予算の範囲内で投票を行うようにしたキャッシュレス在籍投票システムが例えば特許文献１として開示されているが、このものも、最後に現金自動取引機に会員カードを挿入して現金化による清算処理を行うようになっており、完全なキャッシュレス化は実現されていない。
【０００４】
一方、投票専用銀行口座と振替用銀行口座を併用し、場外投票券の販売と払戻金の決済を電話投票端末で管理するようにした場外投票券販売システムについてはサイクルテレホン事務センターのホームページ（http://www.ctc.gr.jp/kanyuu/index.html）等で公知であるが、投票専用銀行口座や振替用銀行口座の開設手続が煩雑であり、一過的に楽しもうとするユーザが容易に利用できるとは言い難い。
【０００５】
また、デビットカード，クレジットカード，プリペイドカード等の種々の媒体を利用して投票券の購入や決済を行えるようにした会員制投票システムが例えば特許文献２として開示されているが、会員登録や各種カードの利用を前提としたものであるため利便性に欠ける。
【０００６】
【特許文献１】特開２００４−９４３４４号公報（段落番号０００７）
【特許文献２】特開２００３−２２３５２８号公報（段落番号０００１）
【発明の開示】
【発明が解決しようとする課題】
【０００７】
そこで、本発明の課題は、前記従来技術の不都合を改善し、会員登録や口座開設といった煩雑な諸手続を必要とせず、一過的なユーザであっても容易に公営競技の投票や払い戻しをキャッシュレスで行うことのできる場外投票券販売システムおよび電話投票端末用プログラムを提供することにある。
【課題を解決するための手段】
【０００８】
本発明の場外投票券販売システムは、電話を利用した場外投票券の販売と払戻金の決済を管理する電話投票端末と個人の預金口座のデータを管理する金融機関端末と場外投票券発売所に設置された当日会員登録端末と場外投票端末とをネットワークで接続した場外投票券販売システムであり、前記課題を達成するため、
ユーザが前記当日会員登録端末から入力した認証情報に基いて前記金融機関端末が当該ユーザの預金口座の存在の有無と当該預金口座の使用権の適否を判定し、預金口座の存在と当該預金口座の使用権の適性が確認された場合に限り、当該ユーザが希望する希望移動金額を前記金融機関端末から前記電話投票端末に引き落として前記ユーザに対応するデータベース内のレコードに残高の初期値として記憶し、その後、この残高を前記電話投票端末により管理して、前記ユーザによる前記場外投票端末の操作に応じて、前記電話投票端末に引き落とされた残高の範囲内で場外投票券の購入を許容すると共に前記電話投票端末に入力される競技結果に基いて残高に対する払戻金の加算を行い、遅くとも当日における全競技の終了時点で前記電話投票端末側の処理で前記レコードに記憶されている残高を前記金融機関端末に振り込むことを特徴とした構成を有する。
【０００９】
以上の構成において、ユーザが当日会員登録端末から認証情報を入力すると、当日会員登録端末がネットワーク経由で金融機関端末に認証情報を送信し、金融機関端末が、この認証情報に基いて当該ユーザの預金口座の存在の有無と当該預金口座の使用権の適否を判定する。
預金口座の存在と当該預金口座の使用権の適性が確認された場合に限り、当該ユーザが希望する希望移動金額の金融機関端末から電話投票端末への引き落としが許容され、この希望移動金額が電話投票端末のデータベース内の当該ユーザに対応するレコードに残高の初期値として記憶される。
この残高は電話投票端末によって管理され、ユーザによる場外投票端末の操作に応じ、残高の範囲内で場外投票券の購入が許容され、電話投票端末に入力される競技結果に基いて残高に対する払戻金の加算が行われる。
最終的に、当日の全競技の終了時点でレコードに記憶されている残高が電話投票端末側の処理によって金融機関端末に振り込まれる。
従って、ユーザは金融機関に預金口座さえ持っていればよく、会員登録や新規の口座開設といった煩雑な諸手続を必要とせず、容易に公営競技の投票や払い戻しをキャッシュレスで行うことができる。
また、現行の電話投票端末を流用して場外投票券販売システムを構築することができるので、安価な設備投資で一過性のユーザに対処することができる。
【００１０】
電話投票端末のデータベース内のレコードは、残高を金融機関端末に振り込んだ時点で削除するように構成することが望ましい。
【００１１】
データベースに記憶されている認証情報が当日以降に持ち越されることがないので、個人情報の漏洩に対処できる。
【００１２】
より具体的には、本発明の場外投票券販売システムは、前記課題を達成するため、特に、
前記当日会員登録端末には、当日会員用パスワードおよび預金口座の認証情報を入力するための登録情報入力手段と、該登録情報入力手段から入力された当日会員用パスワードおよび預金口座の認証情報を前記電話投票端末に送信する登録要求情報送信手段と、前記電話投票端末から受信した当日会員番号を表示する会員番号表示手段が設けられ、
前記電話投票端末には、前記当日会員登録端末から受信した当日会員用パスワードおよび預金口座の認証情報を一時記憶する一時記憶手段と、該預金口座の認証情報を前記金融機関端末に送信する認証情報送信手段と、前記金融機関端末からの許諾信号を受けて新規の当日会員番号を作成し、前記一時記憶手段に記憶されている当日会員用パスワードおよび預金口座の認証情報と前記当日会員番号とを対応させて記憶させると共に残高のデータフィールドの値を初期化した新規の当日会員用レコードをデータベースに登録する会員レコード登録手段と、該会員レコード登録手段により作成された当日会員番号を前記当日会員登録端末に送信する会員番号送信手段と、前記場外投票端末から希望移動金額と共に受信した当日会員番号および当日会員用パスワードを有する当日会員用レコードが前記データベースに登録されているか否かを判定し、登録されている場合に限り、該当日会員用レコードに記憶されている預金口座の認証情報に基いて前記金融機関端末からの引き落としを行って該当日会員用レコードの残高のデータフィールドの値に前記希望移動金額を加算する当日口座設定手段と、前記場外投票端末から場外投票券の販売要求と共に受信した当日会員番号および当日会員用パスワードを有する当日会員用レコードが前記データベースに登録されているか否かを判定し、登録されている場合に限り、該当日会員用レコードの残高のデータフィールドの値から前記場外投票券に相当する金額を減算し、該当日会員用レコードの投票内容のデータフィールドに前記場外投票券に相当する投票内容を設定する投票内容設定手段と、該電話投票端末に入力される競技結果に基いて、的中に一致する投票内容を記憶した当日会員用レコードの残高のデータフィールドの値に払戻金を加算する払戻金加算手段と、全競技の終了を検知し、各当日会員用レコードに記憶されている預金口座の認証情報に基いて当該当日会員用レコードの残高のデータフィールドの値で前記金融機関端末への振り込み処理を行ってから当日会員用レコードの内容を前記データベースから削除する当日会員データ清算削除手段とが設けられ、
前記金融機関端末には、前記電話投票端末から受信した預金口座の認証情報に基いて前記預金口座のデータを参照し預金口座の存在の有無と当該預金口座の使用権の適否を判定する判定手段と、該判定手段により預金口座の存在と当該預金口座の使用権の適性が確認された場合に前記電話投票端末に許諾信号を送信する許諾信号送信手段と、預金口座の認証情報に基いて前記電話投票端末の当日口座設定手段からの引き落としを受け付ける引き落とし受付手段と、預金口座の認証情報に基いて前記電話投票端末の当日会員データ清算削除手段からの振り込みを受け付ける振り込み受付手段とが設けられ、
前記場外投票端末には、当日会員番号および当日会員用パスワードと希望移動金額ならびに場外投票券の販売要求を入力するための要求入力手段と、該要求入力手段から入力された当日会員番号および当日会員用パスワードと希望移動金額を前記電話投票端末に送信する当日口座設定要求データ送信手段と、前記要求入力手段から入力された当日会員番号および当日会員用パスワードと場外投票券の販売要求を前記電話投票端末に送信する販売要求データ送信手段とが設けられていることを特徴とした構成を有する。
【００１３】
以上の構成により、当日会員として本システムを利用しようとするユーザが、当日会員登録端末の登録情報入力手を操作して当日会員用パスワード（本人が決めた任意のパスワード）と当該ユーザの預金口座の認証情報を入力すると、当日会員登録端末の登録要求情報送信手段が作動し、この当日会員用パスワードと当該ユーザの預金口座の認証情報をネットワーク経由で電話投票端末に送信する。
次いで、これを受信した電話投票端末の一時記憶手段が、当日会員用パスワードおよび預金口座の認証情報を一時記憶し、このうち、預金口座の認証情報が認証情報送信手段によって金融機関端末に送信される。
預金口座の認証情報を受信した金融機関端末の判定手段は、この認証情報に基いて個人の預金口座のデータを参照し、認証情報に対応する預金口座の存在の有無と当該預金口座の使用権の適否を判定する。そして、判定手段により預金口座の存在と当該預金口座の使用権の適性が確認された場合に限り、金融機関端末の許諾信号送信手段が、電話投票端末に許諾信号を送信する。
許諾信号を受信した電話投票端末の会員レコード登録手段は、新規の当日会員番号を作成し、該電話投票端末の一時記憶手段に記憶されている当日会員用パスワードおよび預金口座の認証情報と前記作成された当日会員番号とを対応させて記憶させ、残高のデータフィールドの値を初期化した新規の当日会員用レコードをデータベースに登録し、会員番号送信手段が、この当日会員番号を当日会員登録端末に送信する。
会員番号を受信した当日会員登録端末の会員番号表示手段は、この会員番号を表示して前記ユーザに知らせる。
以上の処理操作で、会員番号と当日会員用パスワードがユーザに知らされ、当該ユーザが電話投票端末のデータベースに当日会員として登録されたことになる。以下、このユーザが、会員番号と当日会員用パスワードを使用して場外投票端末を操作する。
ユーザが場外投票端末の要求入力手段を操作して当日会員番号および当日会員用パスワードと希望移動金額を入力すると、これらのデータが場外投票端末の当日口座設定要求データ送信手段によって電話投票端末に送信される。
電話投票端末の当日口座設定手段は、場外投票端末から希望移動金額と共に受信した当日会員番号および当日会員用パスワードを有する当日会員用レコードがデータベースに登録されているか否かを判定し、登録されている場合に限り、該当日会員用レコードに記憶されている預金口座の認証情報に基いて前記金融機関端末からの引き落としを行って該当日会員用レコードの残高のデータフィールドの値に希望移動金額を加算する。これによりデータベース内における当該ユーザのレコードの残高のデータフィールドに希望移動金額が初期値として設定される。また、金融機関端末からの引き落としに際しては、金融機関端末の引き落とし受付手段が、預金口座の認証情報に基いて電話投票端末の当日口座設定手段からの引き落としを受け付け、その希望移動金額分を当該ユーザの預金残高から減算する。
そして、更に、ユーザが場外投票端末の要求入力手段を操作して当日会員番号および当日会員用パスワードと場外投票券の販売要求を入力すると、これらのデータが場外投票端末の販売要求データ送信手段によって電話投票端末に送信される。
電話投票端末の投票内容設定手段は、場外投票端末から販売要求と共に受信した当日会員番号および当日会員用パスワードを有する当日会員用レコードがデータベースに登録されているか否かを判定し、登録されている場合に限り、該当日会員用レコードの残高のデータフィールドの値から場外投票券に相当する金額を減算し、該当日会員用レコードの投票内容のデータフィールドに場外投票券に相当する投票内容を設定する。これによりデータベース内における当該ユーザのレコードの投票内容のデータフィールドに、ユーザが購入した場外投票券の投票内容、例えば、競馬における的中馬を予想した特定情報，競艇における的中艇を予想した特定情報等が記憶される。場外投票券の購入は、当日口座つまり当日会員用レコードの残高のデータフィールドの値を利用して行われるものであるから、電話投票端末と金融機関端末との間でのデータの送受信は不要である。
電話投票端末の払戻金加算手段は、該電話投票端末に入力される競技結果を監視しており、競技結果が入力されると、データベースに登録されているレコードを順に読み出し、各レコードの投票内容のデータフィールドに記憶されている投票内容が、入力された競技結果の的中情報と一致しているか否かを判定し、的中に一致する投票内容が記憶されている場合に限り、この当日会員用レコードの残高のデータフィールドの値に払戻金を加算する。
そして、当日の最終競技が終了すると、電話投票端末の当日会員データ清算削除手段が、データベース内の各当日会員用レコードに記憶されている預金口座の認証情報に基いて当該当日会員用レコードの残高のデータフィールドの値で金融機関端末への振り込み処理を行い、当日会員用レコードの内容をデータベースから削除する。また、電話投票端末からの振り込みに際しては、金融機関端末の振り込み受付手段が、預金口座の認証情報に基いて電話投票端末の当日会員データ清算削除手段からの振り込みを受け付け、その残高を当該ユーザの預金残高に加算する。
従って、ユーザは金融機関に預金口座さえ持っていればよく、会員登録や新規の口座開設といった煩雑な諸手続を必要とせず、容易に公営競技の投票や払い戻しをキャッシュレスで行うことができる。
また、現行の電話投票端末を流用して場外投票券販売システムを構築することができるので、安価な設備投資で一過性のユーザに対処することができる。
【００１４】
また、場外投票端末には、要求入力手段から入力された当日会員番号および当日会員用パスワードと終了要求を電話投票端末に送信する終了要求データ送信手段が併設され、電話投票端末には、場外投票端末から終了要求と共に受信した当日会員番号および当日会員用パスワードに基いて、該当日会員番号および当日会員用パスワードを有する当日会員用レコードに記憶されている預金口座の認証情報に従って当該当日会員用レコードの残高のデータフィールドの値で金融機関端末への振り込み処理を行ってから該当日会員用レコードの内容をデータベースから削除する当日会員データ個別清算削除手段が併設されていることが望ましい。
【００１５】
このような構成を適用した場合、当日に実施される全ての競技の終了を待つことなく、各ユーザは、ユーザ毎の希望に応じて、任意の時期に払戻金の清算を行うことができるようになる。
【００１６】
認証情報は口座番号と当該口座番号用パスワードで構成することができる。
【００１７】
ユーザが熟知した情報を電話投票端末と金融機関端末との間の認証に利用することでユーザの負担が軽減される。また、認証情報となる口座番号と当該口座番号用パスワードは当日の最終競技の終了時点、あるいは、ユーザが場外投票端末の要求入力手段から終了要求を入力した時点でデータベースから削除され、当日以降に持ち越されることはないので、個人情報の漏洩にも対処できる。
【００１８】
更に、金融機関端末の判定手段は、預金口座の使用権の適否の判定に際し、口座名義人が成人に達しているか否かを判定するようにするとよい。
【００１９】
未成年者が不正な遊技を行うことを未然に防止することができる。
【００２０】
本発明の電話投票端末用プログラムは、前記と同様の課題を達成するため、金融機関端末と当日会員登録端末と場外投票端末にネットワーク経由で接続され、電話を利用した場外投票券の販売と払戻金の決済を管理する電話投票端末のマイクロプロセッサを、
当日会員登録端末から受信した当日会員用パスワードおよび預金口座の認証情報を一時記憶する一時記憶手段、
該預金口座の認証情報を金融機関端末に送信する認証情報送信手段、
金融機関端末からの許諾信号を受けて新規の当日会員番号を作成し、前記一時記憶手段に記憶されている当日会員用パスワードおよび預金口座の認証情報と前記当日会員番号とを対応させて記憶させると共に残高のデータフィールドの値を初期化した新規の当日会員用レコードをデータベースに登録する会員レコード登録手段、
該会員レコード登録手段により作成された当日会員番号を当日会員登録端末に送信する会員番号送信手段、
場外投票端末から希望移動金額と共に受信した当日会員番号および当日会員用パスワードを有する当日会員用レコードがデータベースに登録されているか否かを判定し、登録されている場合に限り、該当日会員用レコードに記憶されている預金口座の認証情報に基いて金融機関端末からの引き落としを行って該当日会員用レコードの残高のデータフィールドの値に希望移動金額を加算する当日口座設定手段、
場外投票端末から場外投票券の販売要求と共に受信した当日会員番号および当日会員用パスワードを有する当日会員用レコードがデータベースに登録されているか否かを判定し、登録されている場合に限り、該当日会員用レコードの残高のデータフィールドの値から場外投票券に相当する金額を減算し、該当日会員用レコードの投票内容のデータフィールドに前記場外投票券に相当する投票内容を設定する投票内容設定手段、
該電話投票端末に入力される競技結果に基いて、的中に一致する投票内容を記憶した当日会員用レコードの残高のデータフィールドの値に払戻金を加算する払戻金加算手段、および、
全競技の終了を検知し、各当日会員用レコードに記憶されている預金口座の認証情報に基いて当該当日会員用レコードの残高のデータフィールドの値で金融機関端末への振り込み処理を行ってから当日会員用レコードの内容をデータベースから削除する当日会員データ清算削除手段として機能させることを特徴とした構成を有する。
【００２１】
この電話投票端末用プログラムをインストールした電話投票端末の機能については既に述べた通りである。
【００２２】
更に、電話投票端末用プログラムにより、前記マイクロプロセッサを、前記場外投票端末から終了要求と共に受信した当日会員番号および当日会員用パスワードに基いて、該当日会員番号および当日会員用パスワードを有する当日会員用レコードに記憶されている預金口座の認証情報に基いて当該当日会員用レコードの残高のデータフィールドの値で金融機関端末への振り込み処理を行ってから該当日会員用レコードの内容を前記データベースから削除する当日会員データ個別清算削除手段として機能させるようにしてもよい。
【００２３】
この電話投票端末用プログラムをインストールした電話投票端末の機能については既に述べた通りである。
【発明の効果】
【００２４】
本発明の場外投票券販売システムおよび電話投票端末用プログラムは、ユーザが当日会員登録端末から入力した認証情報に基いて金融機関における預金口座の存在の有無と当該預金口座の使用権の適否を判定し、預金口座の存在と当該預金口座の使用権の適性が確認された場合に限り、ユーザが希望する希望移動金額を金融機関端末から引き落としてユーザに対応するデータベース内のレコードに残高の初期値として記憶し、その後、この残高を電話投票端末により管理して、ユーザによる場外投票端末の操作に応じて残高の範囲内で場外投票券の購入を許容すると共に電話投票端末に入力される競技結果に基いて残高に対する払戻金の加算を行い、遅くとも当日における全競技の終了時点で残高を金融機関端末に振り込んでデータベースのレコードを削除するようにしているので、ユーザは金融機関に預金口座さえ持っていれば、会員登録や新規の口座開設といった煩雑な諸手続を行うことなく、一過性のユーザであっても容易に公営競技の投票や払い戻しをキャッシュレスで行うことができる。
また、現行の電話投票端末を流用して場外投票券販売システムを構築することができるので、安価な設備投資で一過性のユーザに対処することができる。
【発明を実施するための最良の形態】
【００２５】
本発明を実施するための最良の形態について図面を参照して説明する。図１は、本発明を適用した場外投票券販売システムの構成の概略について示したブロック図である。
【００２６】
この実施形態の場外投票券販売システム１は、プッシュホン２や公衆電話３を利用した場外投票券の販売と払戻金の決済を管理する電話投票端末４と、個人の預金口座のデータを管理する金融機関端末５と、当日会員登録端末６および場外投票端末７、ならびに、これらを相互に連絡するインターネットや公衆電話回線もしくは専用回線等からなるネットワーク８によって構成される。
【００２７】
電話投票端末４はマイクロプロセッサを備えたコンピュータによって構成されるもので、公営競技場の電話投票センター等に設置される。
【００２８】
正規の会員登録を行ったユーザの投票専用銀行口座と振替用銀行口座を併用し、プッシュホン２や公衆電話３からの要求を受け付けて場外投票券の販売と払戻金の決済を管理する電話投票端末４の機能については、背景技術の欄でも述べた通り既に公知である。
【００２９】
金融機関端末５はマイクロプロセッサを備えたコンピュータによって構成され、銀行やクレジットカード会社等の金融機関内に設置される。
【００３０】
当日会員登録端末６および場外投票端末７もマイクロプロセッサを備えたコンピュータで構成することが可能であり、これらは場外投票券発売所等に設置される。
【００３１】
図２は、電話投票端末４，金融機関端末５，当日会員登録端末６，場外投票端末７の機能の概略を示した機能ブロック図であり、電話投票端末４，金融機関端末５，当日会員登録端末６，場外投票端末７の各機能は、専ら、各々の端末が備えるマイクロプロセッサ（以下、単にＣＰＵと称する）と其の制御プログラムによって実現されている。
【００３２】
図２に示されるように、当日会員登録端末６には、ユーザが当日会員用パスワードおよび預金口座の認証情報を入力するための登録情報入力手段Ａと、登録情報入力手段Ａから入力された当日会員用パスワードおよび預金口座の認証情報をネットワーク８経由で電話投票端末４に送信する登録要求情報送信手段Ｂと、電話投票端末４の会員番号送信手段Ｕからネットワーク８経由で受信した当日会員番号を表示する会員番号表示手段Ｃが設けられている。
【００３３】
図３は、当日会員登録端末６の構成の概略を具体的に示したブロック図である。前述した通り、当日会員登録端末６はＣＰＵを備えたコンピュータで構成することが可能であるが、この当日会員登録端末６自体が複雑な内部処理を行うわけではないので、ハードディスクドライブ等の記憶手段は必ずしも必要ではなく、最低限、演算処理のためのＣＰＵ１０と、該ＣＰＵ１０の基本制御プログラムを格納したＲＯＭ１１と、演算データの一時記憶等に利用されるＲＡＭ１２と、ネットワーク８に接続するためのインターフェイス回路１３を備えればよい。図２における登録情報入力手段Ａは図３中のキーボード１４によって構成され、また、図２における会員番号表示手段Ｃは図３中のモニタ１５によって構成され、何れも入出力回路１６を介して当日会員登録端末６のＣＰＵ１０に接続されている。図２における登録要求情報送信手段Ｂは、図３中のＣＰＵ１０とＲＯＭ１１内の通信プログラムによって実現されている。
【００３４】
また、図２に示されるように、電話投票端末４には、当日会員登録端末６の登録要求情報送信手段Ｂからネットワーク８経由で受信した当日会員用パスワードおよび預金口座の認証情報を一時記憶する一時記憶手段Ｄと、この預金口座の認証情報をネットワーク８経由で金融機関端末５の判定手段Ｌに送信する認証情報送信手段Ｅとが設けられている。電話投票端末４には、また、金融機関端末５の許諾信号送信手段Ｍからネットワーク８経由で送信された許諾信号を受けて新規の当日会員番号を作成し、一時記憶手段Ｄに記憶されている当日会員用パスワードおよび預金口座の認証情報と当該当日会員番号とを対応させて記憶させると共に、残高のデータフィールドの値を初期化した新規の当日会員用レコードを記憶装置９のデータベースＦに登録する会員レコード登録手段Ｇと、会員レコード登録手段Ｇにより作成された当日会員番号をネットワーク８経由で当日会員登録端末６の会員番号表示手段Ｃに送信する会員番号送信手段Ｕと、場外投票端末７の当日口座設定要求データ送信手段Ｑからネットワーク８経由で希望移動金額と共に受信した当日会員番号および当日会員用パスワードを有する当日会員用レコードがデータベースＦに登録されているか否かを判定し、登録されている場合に限り、この当日会員用レコードに記憶されている預金口座の認証情報に基いて金融機関端末５からの引き落としを行って該当日会員用レコードの残高のデータフィールドの値に希望移動金額を加算する当日口座設定手段Ｈが設けられている。そして、更に、電話投票端末４には、場外投票端末７の販売要求データ送信手段Ｒからネットワーク８経由で場外投票券の販売要求と共に受信した当日会員番号および当日会員用パスワードを有する当日会員用レコードがデータベースＦに登録されているか否かを判定し、登録されている場合に限り、該当日会員用レコードの残高のデータフィールドの値から場外投票券に相当する金額を減算し、該当日会員用レコードの投票内容のデータフィールドに場外投票券に相当する投票内容を設定する投票内容設定手段Ｉと、電話投票端末４に入力される競技結果に基いて的中に一致する投票内容を記憶した当日会員用レコードの残高のデータフィールドの値に払戻金を加算する払戻金加算手段Ｊと、全競技の終了を検知し、各当日会員用レコードに記憶されている預金口座の認証情報に基いて当該当日会員用レコードの残高のデータフィールドの値で金融機関端末５への振り込み処理を行ってから当日会員用レコードの内容をデータベースＦから削除する当日会員データ清算削除手段Ｋが設けられている。
【００３５】
図４は、電話投票端末４の構成の概略を具体的に示したブロック図である。前述した通り、電話投票端末４はＣＰＵを備えたコンピュータで構成することが可能である。電話投票端末４は、演算処理のためのＣＰＵ１７と、該ＣＰＵ１７の基本制御プログラムを格納したＲＯＭ１８と、演算データの一時記憶等に利用されるＲＡＭ１９と、電話投票端末用プログラム等を格納したハードディスクドライブ２０と、他のハードディスクドライブ２１と、ネットワーク８に接続するためのインターフェイス回路２２を備える。図２における一時記憶手段Ｄは図４中のＲＡＭ１９によって構成され、図２における記憶装置９は図４中のハードディスクドライブ２１によって構成される。また、図２に示される認証情報送信手段Ｅ，会員レコード登録手段Ｇ，会員番号送信手段Ｕ，当日口座設定手段Ｈ，投票内容設定手段Ｉ，払戻金加算手段Ｊ，当日会員データ清算削除手段Ｋは、図４中のＣＰＵ１７とハードディスクドライブ２０内の電話投票端末用プログラムによって実現されている。マン・マシン・インターフェイスを構成するキーボード２３，マウス２４，モニタ２５やプリンタ２６は入出力回路２７を介して電話投票端末４のＣＰＵ１７に接続されている。但し、これらのマン・マシン・インターフェイスが必要となるのは電話投票端末４の内部データのメンテナンス作業等の場合である。この実施形態で行われる処理操作はＣＰＵ１７の内部処理のみで実現されるので、オペレータが電話投票端末４をマニュアルで操作する作業は通常は不要である。
【００３６】
また、図２に示されるように、金融機関端末５には、電話投票端末４の認証情報送信手段Ｅからネットワーク８経由で受信した預金口座の認証情報に基いて銀行等の預金口座のデータを参照し預金口座の存在の有無と当該預金口座の使用権の適否を判定する判定手段Ｌと、判定手段Ｌにより預金口座の存在と当該預金口座の使用権の適性が確認された場合に電話投票端末４の会員レコード登録手段Ｇにネットワーク８経由で許諾信号を送信する許諾信号送信手段Ｍと、電話投票端末４の当日口座設定手段Ｈからネットワーク８経由で送信された銀行等の預金口座の認証情報に基いて電話投票端末４の当日口座設定手段Ｈからの引き落としを受け付ける引き落とし受付手段Ｎと、電話投票端末４の当日会員データ清算削除手段Ｋからネットワーク８経由で送信された預金口座の認証情報に基いて電話投票端末４の当日会員データ清算削除手段Ｋからの振り込みを受け付ける振り込み受付手段Ｏが設けられている。
【００３７】
図５は、金融機関端末５の構成の概略を具体的に示したブロック図である。前述した通り、金融機関端末５はＣＰＵを備えたコンピュータで構成することが可能である。金融機関端末５は、演算処理のためのＣＰＵ２８と、該ＣＰＵ２８の基本制御プログラムを格納したＲＯＭ２９と、演算データの一時記憶等に利用されるＲＡＭ３０と、顧客の預金口座を管理するデータベースを備えたハードディスクドライブ等の記憶装置３１と、ネットワーク８に接続するためのインターフェイス回路３２を備える。図２における判定手段Ｌ，許諾信号送信手段Ｍ，振り込み受付手段Ｏ，引き落とし受付手段Ｎは、図５中のＣＰＵ２８によって実現されている。マン・マシン・インターフェイスを構成するキーボード３３，マウス３４，モニタ３５やプリンタ３６は入出力回路３７を介して金融機関端末５のＣＰＵ２８に接続されている。但し、これらのマン・マシン・インターフェイスが必要となるのは金融機関端末５を利用した通常の銀行業務の場合であり、この実施形態で行われる処理操作はＣＰＵ２８の内部処理のみで実現されるので、オペレータが金融機関端末５をマニュアルで操作する作業は通常は不要である。
【００３８】
また、図２に示されるように、場外投票端末７には、ユーザが当日会員番号および当日会員用パスワードと希望移動金額ならびに場外投票券の販売要求を入力するための要求入力手段Ｐと、要求入力手段Ｐから入力された当日会員番号および当日会員用パスワードと希望移動金額をネットワーク８経由で電話投票端末４の当日口座設定手段Ｈに送信する当日口座設定要求データ送信手段Ｑと、要求入力手段Ｐから入力された当日会員番号および当日会員用パスワードと場外投票券の販売要求をネットワーク８経由で電話投票端末４の投票内容設定手段Ｉに送信する販売要求データ送信手段Ｒが設けられている。
【００３９】
図６は、場外投票端末７の構成の概略を具体的に示したブロック図である。前述した通り、場外投票端末７はＣＰＵを備えたコンピュータで構成することが可能であるが、この場外投票端末７自体が複雑な内部処理を行うわけではないので、ハードディスクドライブ等の記憶手段は必ずしも必要ではなく、最低限、演算処理のためのＣＰＵ３８と、該ＣＰＵ３８の基本制御プログラムを格納したＲＯＭ３９と、演算データの一時記憶等に利用されるＲＡＭ４０と、ネットワーク８に接続するためのインターフェイス回路４１を備えればよい。図２における要求入力手段Ｐは図６中のキーボード４２によって構成され、キーボード４２とモニタ４３は、入出力回路４４を介して場外投票端末７のＣＰＵ３８に接続されている。モニタ４３は場外投票端末７を操作するユーザに必要な情報を表示する際に利用される。図２における当日口座設定要求データ送信手段Ｑ，販売要求データ送信手段Ｒは、図６中のＣＰＵ３８によって実現されている。
【００４０】
更に、この実施形態では、図２に示されるように、要求入力手段Ｐから入力された当日会員番号および当日会員用パスワードと終了要求をネットワーク８経由で電話投票端末４の当日会員データ個別清算削除手段Ｔに送信する終了要求データ送信手段Ｓが場外投票端末７に併設され、電話投票端末４には、場外投票端末７の終了要求データ送信手段Ｓからネットワーク８経由で終了要求と共に受信した当日会員番号および当日会員用パスワードに基いて、該当日会員番号および当日会員用パスワードを有する当日会員用レコードに記憶されている預金口座の認証情報に従って当該当日会員用レコードの残高のデータフィールドの値で金融機関端末５への振り込み処理を行ってから該当日会員用レコードの内容をデータベースＦから削除する当日会員データ個別清算削除手段Ｔが併設されている。
【００４１】
従って、この実施形態では、図６に示される場外投票端末７のＣＰＵ３８が終了要求データ送信手段Ｓとして機能し、また、図４に示される電話投票端末４のＣＰＵ１７が、当日会員データ個別清算削除手段Ｔとして機能することになる。
【００４２】
図４に示される電話投票端末４のハードディスクドライブ２１に構築されるデータベースＦの一例を図７に示す。このデータベースＦは電話投票端末４の会員レコード登録手段Ｇが生成した当日会員用レコードを管理するもので、金融機関端末５の判定手段Ｌの判定処理で登録を許容されたユーザのみに対して電話投票端末４の会員レコード登録手段Ｇが作成した当日会員番号Ｄ０を記憶するデータフィールドと、当該ユーザが初期段階で当日会員登録端末６の登録情報入力手段Ａを操作して任意に設定した当日会員用パスワードＤ１を記憶するデータフィールドと、当該ユーザが当日会員登録端末６の登録情報入力手段Ａを操作することで預金口座の認証情報の一部として申告した口座番号Ｄ２を記憶するデータフィールドと、当該ユーザが当日会員登録端末６の登録情報入力手段Ａを操作することで預金口座の認証情報の他部として申告した口座番号用パスワードＤ３を記憶するデータフィールドと、当該ユーザが金融機関端末５の当該預金口座と電話投票センターの電話投票端末４との間での金銭の引き落としや振込みに同意したことを示す許諾情報Ｄ４を記憶するデータフィールドと、電話投票端末４の当日口座設定手段Ｈが当該ユーザのために設定した当日口座の残高Ｄ５を記憶するデータフィールドと、当該ユーザが場外投票端末７の要求入力手段Ｐを操作して購入した投票券の投票内容Ｄ６、例えば、競馬における的中馬の予想や競艇における的中艇の予想を記憶するデータフィールドとを備える。
【００４３】
図８は当日会員登録端末６のＣＰＵ１０が実行する処理の概略を示したフローチャート、図９〜図１４は電話投票端末４のＣＰＵ１７が実行する処理の概略を示したフローチャート、図１５〜図１７は場外投票端末７のＣＰＵ３８が実行する処理の概略を示したフローチャート、図１８〜図１９は金融機関端末５のＣＰＵ２８が実行する処理の概略を示したフローチャートである。
【００４４】
次に、各フローチャートを参照して登録要求情報送信手段Ｂとして機能するＣＰＵ１０の処理動作、認証情報送信手段Ｅ，会員レコード登録手段Ｇ，会員番号送信手段Ｕ，当日口座設定手段Ｈ，投票内容設定手段Ｉ，払戻金加算手段Ｊ，当日会員データ清算削除手段Ｋ，当日会員データ個別清算削除手段Ｔとして機能するＣＰＵ１７の処理動作、当日口座設定要求データ送信手段Ｑ，販売要求データ送信手段Ｒ，終了要求データ送信手段Ｓとして機能するＣＰＵ３８の処理動作、および、判定手段Ｌ，許諾信号送信手段Ｍ，振り込み受付手段Ｏ，引き落とし受付手段Ｎとして機能するＣＰＵ２８の処理動作について具体的に説明する。
【００４５】
当日会員登録端末６のＣＰＵ１０は、電源投入時のイニシャライズ処理を行った後、登録情報入力手段Ａとして機能するキーボード１４から、当日会員用パスワードＤ１，預金口座の認証情報の一部となる口座番号Ｄ２，預金口座の認証情報の他部となる口座番号用パスワードＤ３，ユーザが金銭の引き落としや振込みに同意したことを示す許諾情報Ｄ４が入力されるのを待つ待機状態に入る（ステップａ１）。
【００４６】
前述した通り、当日会員用パスワードＤ１はユーザが任意に設定してよいパスワードであり、本人が覚え易い文字列あるいは数値列を自由に入力するようにする。口座番号Ｄ２は当該ユーザが有する銀行等の金融機関の預金口座の番号、また、口座番号用パスワードＤ３は預金口座に対応したキャッシュカード等の暗証番号であり、預金口座の認証情報に相当するデータである。許諾情報Ｄ４は当該ユーザが当該預金口座による金銭の引き落としや振込みを他者、つまり、この場合は電話投票端末４に委任することに同意したことを示すデータであり、例えば、モニタ１５に“取引に同意しますか？”等のメッセージを表示してユーザに所定のキーボード操作を行わせるようにする。
【００４７】
これらのデータがユーザの手によってキーボード１４を介して入力されると、当日会員登録端末６のＣＰＵ１０は、当日会員となることを希望するユーザが現れたものと判断してデータを一時記憶し（ステップａ２）、登録要求情報送信手段Ｂとして機能するＣＰＵ１０が、これらのデータをネットワーク８経由で電話投票端末４に送信し（ステップａ３）、電話投票端末４からの当日会員番号Ｄ０の返信、もしくは、電話投票端末４からのエラー信号の返信を待つ待機状態に入る（ステップａ４〜ステップａ５）。
【００４８】
このようにして送信された当日会員用パスワードＤ１，口座番号Ｄ２，口座番号用パスワードＤ３，許諾情報Ｄ４は、ステップｂ１〜ステップｂ６の入力判定処理とステップｂ７の通常処理を繰り返し実行している電話投票端末４のＣＰＵ１７により、ステッｂ１の判定処理で検出される。ステップｂ７の通常処理は、プッシュホン２や公衆電話３からの要求を受け付けて場外投票券の販売等を管理する処理であるが、この点については背景技術の欄でも述べた通り既に公知であるので説明は省略する。
【００４９】
このようにして当日会員用パスワードＤ１，口座番号Ｄ２，口座番号用パスワードＤ３，許諾情報Ｄ４の入力を検出した電話投票端末４のＣＰＵ１７は、これらのデータを一時記憶手段Ｄとして機能するＲＡＭ１９に一時記憶させ（ステップｂ８）、認証情報送信手段Ｅとして機能するＣＰＵ１７が、これらのデータのうち預金口座の認証情報に関連するデータ、つまり、口座番号Ｄ２，口座番号用パスワードＤ３，許諾情報Ｄ４をネットワーク８経由で金融機関端末５に送信し（ステップｂ９）、金融機関端末５からの許諾信号の返信、もしくは、金融機関端末５からのエラー信号の返信を待つ待機状態に入る（ステップｂ１０〜ステップｂ１１）。
【００５０】
このようにして送信された口座番号Ｄ２，口座番号用パスワードＤ３，許諾情報Ｄ４は、ステップｄ１〜ステップｄ３の入力判定処理を繰り返し実行している金融機関端末５のＣＰＵ２８により、ステッｄ１の判定処理で検出される。
【００５１】
次いで、金融機関端末５の判定手段Ｌとして機能するＣＰＵ２８が、当該金融機関に設置された預金口座のデータベース（図示せず）を参照し、口座番号Ｄ２の預金口座が存在するか否か（ステップｄ４）、また、存在するとした場合には其の口座番号に対応して当該金融機関の預金口座のデータベースに記憶されている暗証番号の値が口座番号用パスワードＤ３と一致しているか否か（ステップｄ５）、更に、暗証番号が一致するとした場合には当該預金口座の名義人の年齢が成人に達しているか否か（ステップｄ６）、および、当該預金口座の名義人が学生であるか否かを判定する（ステップｄ７）。なお、名義人の年齢や身分（学生か否か）については、予め預金口座のデータベースに登録されているものとする。
【００５２】
そして、全ての判定結果が真となった場合、つまり、口座番号Ｄ２の預金口座が存在し、かつ、暗証番号の値が口座番号用パスワードＤ３と一致して当該ユーザが預金口座の適正な使用権を有し、しかも、このユーザが成人に達しており学生ではないと判明した場合に限り、金融機関端末５の許諾信号送信手段Ｍとして機能するＣＰＵ２８が、ネットワーク８経由で電話投票端末４に許諾信号を送信し（ステップｄ８）、それ以外の場合は、ＣＰＵ２８からネットワーク８経由で電話投票端末４にエラー信号が送信される（ステップｄ９）。
【００５３】
金融機関端末５から許諾信号が送信された場合、電話投票端末４のＣＰＵ１７が、前述したステップｂ１０の判定処理で許諾信号を検出し、会員レコード登録手段Ｇとして機能するＣＰＵ１７が、電源投入時のイニシャライズ処理で０に初期化されていたカウンタｉの値を１インクリメントして新規の当日会員番号Ｄ０を新たに作成し（ステップｂ１３，ステップｂ１４）、一時記憶手段Ｄとして機能しているＲＡＭ１９に現時点で記憶されている当日会員用パスワードＤ１および預金口座の認証情報である口座番号Ｄ２，口座番号用パスワードＤ３，許諾情報Ｄ４と当日会員番号Ｄ０とを対応させて記憶させると共に、残高Ｄ５のデータフィールドの値を０に初期化し（ステップｂ１５）、新規の当日会員用レコードとして、電話投票端末４のハードディスクドライブ２１に構築されたデータベースＦに登録する（ステップｂ１６）。そして、電話投票端末４の会員番号送信手段Ｕとして機能するＣＰＵ１７が、会員レコード登録手段Ｇで作成された当日会員番号Ｄ０をネットワーク８経由で当日会員登録端末６に送信する（ステップｂ１７）。
【００５４】
一方、金融機関端末５からエラー信号が送信された場合には、電話投票端末４のＣＰＵ１７が、前述したステップｂ１１の判定処理でエラー信号を検出し、当日会員登録端末６にネットワーク８経由でエラー信号を送信することになる（ステップｂ１２）。
【００５５】
電話投票端末４から当日会員番号Ｄ０が送信された場合、当日会員登録端末６のＣＰＵ１０が、前述したステップａ４の判定処理で当日会員番号Ｄ０を検出し、会員番号表示手段Ｃとして機能するモニタ１５に当日会員番号Ｄ０を表示することで、当日会員の登録処理が適切に終了したことをユーザに知らせる（ステップａ７）。
【００５６】
以上の処理操作で、当日会員番号Ｄ０と当日会員用パスワードＤ１がユーザに知らされ、当該ユーザが電話投票端末４のデータベースＦに当日会員として登録されたことになる。以下、このユーザは、当日会員番号Ｄ０と当日会員用パスワードＤ１を使用して場外投票端末７を操作することになるので、ユーザは、前述のステップａ１の処理で自らが入力した当日会員用パスワードＤ１の値とモニタ１５に表示された当日会員番号Ｄ０の値を覚えておくようにする。
【００５７】
前述した通り、電話投票端末４のハードディスクドライブ２１に構築されたデータベースＦに登録されたユーザのレコードの内容は図７に示すようなもので、この時点で、当日会員番号Ｄ０，当日会員用パスワードＤ１，口座番号Ｄ２，口座番号用パスワードＤ３，許諾情報Ｄ４の設定は完了するが、残高Ｄ５の値は初期値０、また、投票内容Ｄ６は未記憶の状態に保持されている。
【００５８】
これに対し、電話投票端末４からエラー信号が送信された場合には、当日会員登録端末６のＣＰＵ１０が、前述したステップａ５の判定処理でエラー信号を検出し、モニタ１５にエラーメッセージを表示することで、当日会員の登録処理が失敗に終わったことをユーザに知らせる（ステップａ６）。
【００５９】
登録処理が失敗に終わる原因としては、認証情報に関連するデータである口座番号Ｄ２，口座番号用パスワードＤ３の入力ミスの他、ユーザが未成年である場合、または、学生の身分である場合が考えられる。口座番号Ｄ２，口座番号用パスワードＤ３の入力ミスで当日会員の登録処理が失敗した場合には、改めてユーザが入力操作をやり直すことで当日会員の登録処理を適切に行わせることが可能であるが、ユーザが未成年である場合、または、学生の身分である場合には、このようなリトライ操作を行っても当該ユーザの意思で判定手段Ｌによるステップｄ６，ステップｄ７の判定結果を覆すことは不可能であるので、当日会員の登録処理を行うことはできない。
【００６０】
一方、場外投票端末７のＣＰＵ３８は、ステップｃ１〜ステップｃ３の入力判定処理を繰り返し実行して、要求入力手段Ｐとして機能するキーボード４２からユーザが要求を入力するのを待機している。
【００６１】
データベースＦに当日会員として登録されたユーザは、まず、投票券を購入するための前処理として、金融機関における当該ユーザの預金口座から当日会員用レコードの残高Ｄ５のデータフィールドに預金の一部を引き落とす必要がある。
【００６２】
そこで、ユーザが要求入力手段Ｐとして機能する場外投票端末７のキーボード４２を操作して当日会員番号Ｄ０と当日会員用パスワードＤ１を指定して希望移動金額Ｘ０を入力すると、場外投票端末７のＣＰＵ３８が、ステップｃ１の判定処理で当該操作を検出し、当日口座設定要求データ送信手段Ｑとして機能するＣＰＵ３８が、これらのデータをネットワーク８経由で電話投票端末４に当日口座設定要求データとして送信し（ステップｃ４）、電話投票端末４からの返信を待つ待機状態に入る（ステップｃ５〜ステップｃ７）。
【００６３】
場外投票端末７から送信された当日口座設定要求データは、ステップｂ１〜ステップｂ６の入力判定処理とステップｂ７の通常処理を繰り返し実行している電話投票端末４のＣＰＵ１７により、ステッｂ２の判定処理で検出される。
【００６４】
次いで、電話投票端末４の当日口座設定手段Ｈとして機能するＣＰＵ１７が、図７に示されるようなデータベースＦを検索し（ステップｂ１８）、ステップｂ２の処理で受信した当日会員番号Ｄ０と当日会員用パスワードＤ１に一致する当日会員番号と当日会員用パスワードを有するレコードがデータベースＦに登録されているか否かを判定し（ステップｂ１９）、一致するレコードがデータベースＦに登録されていれば、このレコードに記憶されている口座番号Ｄ２，口座番号用パスワードＤ３，許諾情報Ｄ４とステップｂ２の処理で受信した希望移動金額Ｘ０の値をネットワーク８経由で金融機関端末５に送信し（ステップｂ２０）、金融機関端末５から引き落としの結果報告もしくは引き落としの失敗が返信されるのを待つ待機状態に入る（ステップｂ２１，ステップｂ２２）。
【００６５】
電話投票端末４から送信された口座番号Ｄ２，口座番号用パスワードＤ３，許諾情報Ｄ４，希望移動金額Ｘ０のデータは、ステップｄ１〜ステップｄ３の入力判定処理を繰り返し実行している金融機関端末５のＣＰＵ２８により、ステッｄ２の判定処理で検出される。
【００６６】
次いで、金融機関端末５の引き落とし受付手段Ｎとして機能するＣＰＵ２８が、ステップｄ２の処理で受信した口座番号Ｄ２に基いて当該金融機関に設置された預金口座のデータベース（図示せず）を検索して当該ユーザの預金口座を特定し（ステップｄ１０）、当該預金口座の残高Ｘ１が希望移動金額Ｘ０に達しているか否かを判定し（ステップｄ１１）、達していれば、残高Ｘ１から希望移動金額Ｘ０を減算して当該預金口座の残高Ｘ１の値を更新すると共に（ステップｄ１２）、引き落としが適性に行われた旨の結果報告と当該預金口座の残高Ｘ１の現在値をネットワーク８経由で電話投票端末４に送信する（ステップｄ１３）。
【００６７】
また、ステップｄ１１の判定結果が偽となって残高Ｘ１が希望移動金額Ｘ０に満たないことが明らかとなった場合には、ＣＰＵ２８からネットワーク８経由で電話投票端末４に引き落としが失敗した旨の結果報告と当該預金口座の残高Ｘ１の現在値が送信される（ステップｄ１４）。
【００６８】
金融機関端末５から引き落としが適性に行われた旨の結果報告と当該預金口座の残高Ｘ１の現在値が送信された場合、電話投票端末４の当日口座設定手段Ｈとして機能するＣＰＵ１７が、前述のステップｂ２１の判定処理で此れを検出し、引き落としが適性に行われた旨の結果報告と当該預金口座の残高Ｘ１の現在値をネットワーク８経由で場外投票端末７に送信し（ステップｂ２４）、ステップｂ１９の処理で一致を判定されたユーザのレコードの残高Ｄ５のフィールドに希望移動金額Ｘ０を加算して残高Ｄ５の値を更新する（ステップｂ２５）。
【００６９】
これによりデータベースＦ内における当該ユーザのレコードの残高Ｄ５のデータフィールドに希望移動金額Ｘ０が初期値として設定される。
【００７０】
一方、金融機関端末５から引き落としが失敗した旨の結果報告と預金口座の残高Ｘ１の現在値が送信された場合には、電話投票端末４のＣＰＵ１７が、前述のステップｂ２２の判定処理で此れを検出し、引き落としが失敗した旨の結果報告と当該預金口座の残高Ｘ１の現在値をネットワーク８経由で場外投票端末７に送信する（ステップｂ２３）。
【００７１】
また、ステップｂ１９の判定結果が偽となってステップｂ２の処理で受信した当日会員番号Ｄ０と当日会員用パスワードＤ１に一致する当日会員番号と当日会員用パスワードを有するレコードがデータベースＦに登録されていないことが明らかとなった場合、つまり、当日会員番号Ｄ０と当日会員用パスワードＤ１の入力操作をユーザがミスした場合、あるいは、当日会員としてデータベースＦに登録されていない第三者が悪戯で要求入力手段Ｐとして機能する場外投票端末７のキーボード４２を操作したような場合には、電話投票端末４のＣＰＵ１７が、ネットワーク８経由で場外投票端末７にエラー信号を送信する（ステップｂ２６）。
【００７２】
電話投票端末４から引き落としが成功した旨の結果報告と預金口座の残高Ｘ１の現在値が送信された場合、場外投票端末７のＣＰＵ３８は、前述のステップｃ５の判定処理で此れを検出し、希望移動金額Ｘ０による引き落としが成功した旨のメッセージと引き落とし実行後の金融機関の預金口座の残高Ｘ１の値を場外投票端末７のモニタ４３に表示してユーザに知らせる（ステップｃ１０）。
【００７３】
また、電話投票端末４から引き落としが失敗した旨の結果報告と預金口座の残高Ｘ１の現在値が送信された場合、場外投票端末７のＣＰＵ３８は、前述のステップｃ６の判定処理で此れを検出し、希望移動金額Ｘ０による引き落としが失敗した旨のメッセージと金融機関の預金口座の残高Ｘ１の値を場外投票端末７のモニタ４３に表示してユーザに知らせる（ステップｃ９）。この場合、ユーザは、預金口座の残高Ｘ１以下の希望移動金額Ｘ０を指定してステップｃ４以降の処理を再実行することで、希望移動金額Ｘ０の引き落としを実現することが可能である。
【００７４】
一方、電話投票端末４からエラー信号が送信された場合、場外投票端末７のＣＰＵ３８は、前述のステップｃ７の判定処理で此れを検出し、エラーメッセージを場外投票端末７のモニタ４３に表示してユーザに知らせる（ステップｃ８）。この場合、当日会員番号Ｄ０と当日会員用パスワードＤ１の入力操作をユーザがミスしたのであれば、ステップｃ４以降の処理を再実行することで、希望移動金額Ｘ０の引き落としを実現することが可能である。しかし、当日会員としてデータベースＦに登録されていない第三者が悪戯で情報を入力したような場合では、当日会員番号Ｄ０と当日会員用パスワードＤ１がデータベースＦに登録済みの値と一致する確率は事実上皆無であり、不正な悪戯操作が確実に防止される。
【００７５】
このようにしてデータベースＦ内におけるユーザのレコードの残高Ｄ５に希望移動金額Ｘ０が設定された後、当該ユーザによる投票券の購入が許容される。
【００７６】
投票券を購入する場合、ユーザは、まず、要求入力手段Ｐとして機能する場外投票端末７のキーボード４２を操作して当日会員番号Ｄ０と当日会員用パスワードＤ１を指定し、購入を希望する場外投票券の内容、例えば、一着を予想した的中馬や的中艇の名称等を入力する。
【００７７】
ステップｃ１〜ステップｃ３の入力判定処理を繰り返し実行している場外投票端末７のＣＰＵ３８は、ステップｃ２の判定処理でユーザからの入力操作を検出し、販売要求データ送信手段Ｒとして機能するＣＰＵ３８が、これらのデータをネットワーク８経由で電話投票端末４に販売要求データとして送信し（ステップｃ１１）、電話投票端末４からの返信を待つ待機状態に入る（ステップｃ１２〜ステップｃ１４）。
【００７８】
場外投票端末７から送信された販売要求データは、ステップｂ１〜ステップｂ６の入力判定処理とステップｂ７の通常処理を繰り返し実行している電話投票端末４のＣＰＵ１７により、ステッｂ３の判定処理で検出される。
【００７９】
次いで、電話投票端末４の投票内容設定手段Ｉとして機能するＣＰＵ１７が、図７に示されるようなデータベースＦを検索し（ステップｂ２７）、ステップｂ３の処理で受信した当日会員番号Ｄ０と当日会員用パスワードＤ１に一致する当日会員番号と当日会員用パスワードを有するレコードがデータベースＦに登録されているか否かを判定し（ステップｂ２８）、一致するレコードがデータベースＦに登録されていれば、このレコードに記憶されている残高Ｄ５の値が購入を希望された場外投票券の料金に達しているか否かを判定し（ステップｂ２９）、達している場合には、当該レコードの投票内容Ｄ６のフィールドに購入対象の場外投票券の内容、つまり、一着を予想した的中馬や的中艇の名称等を記憶させ（ステップｂ３０）、当該レコードの残高Ｄ５の値から場外投票券の料金を減算して残高Ｄ５の値を更新し（ステップｂ３１）、指定した場外投票券の購入が適性に行われた旨の結果報告と残高Ｄ５の現在値をネットワーク８経由で場外投票端末７に送信する（ステップｂ３２）。
【００８０】
これによりデータベースＦ内における当該ユーザのレコードの投票内容のデータフィールドＤ６に、当該ユーザが購入した場外投票券の投票内容、例えば、競馬における的中馬の名称や競艇における的中艇の名称が記憶されることになる。
【００８１】
場外投票券の購入は、当日口座つまり当日会員用レコードの残高Ｄ５のデータフィールドの値を利用して行われるものであるから、電話投票端末４と金融機関端末５との間でのデータの送受信は不要である。
【００８２】
また、ステップｂ２８の判定結果が偽となって当該レコードの残高Ｄ５が場外投票券の料金に満たないことが明らかとなった場合には、電話投票端末４のＣＰＵ１７からネットワーク８経由で場外投票端末７に購入が失敗した旨の結果報告と残高Ｄ５の現在値が送信される（ステップｂ３３）。
【００８３】
一方、ステップｂ２８の判定結果が偽となってステップｂ３の処理で受信した当日会員番号Ｄ０と当日会員用パスワードＤ１に一致する当日会員番号と当日会員用パスワードを有するレコードがデータベースＦに登録されていないことが明らかとなった場合、つまり、当日会員番号Ｄ０と当日会員用パスワードＤ１の入力操作をユーザがミスした場合、あるいは、当日会員としてデータベースＦに登録されていない第三者が悪戯で要求入力手段Ｐとして機能する場外投票端末７のキーボード４２を操作したような場合には、電話投票端末４のＣＰＵ１７が、ネットワーク８経由で場外投票端末７にエラー信号を送信する（ステップｂ３４）。
【００８４】
電話投票端末４から指定した場外投票券の購入が適性に行われた旨の結果報告と残高Ｄ５の現在値が送信された場合、場外投票端末７のＣＰＵ３８が、前述のステップｃ１２の判定処理で此れを検出し、場外投票券の購入が適性に行われた旨の結果報告と残高Ｄ５の現在値をモニタ４３に表示してユーザに知らせる（ステップｃ１６）。
【００８５】
これに対し、電話投票端末４から指定した場外投票券の購入が失敗した旨の結果報告と残高Ｄ５の現在値が送信された場合、場外投票端末７のＣＰＵ３８が、前述のステップｃ１３の判定処理で此れを検出し、場外投票券の購入が失敗した旨の結果報告と残高Ｄ５の現在値をモニタ４３に表示してユーザに知らせることになる（ステップｃ１５）。この場合、ユーザは、残高Ｄ５以下の料金の場外投票券を購入対象として指定してステップｃ１１以降の処理を再実行することで、他の場外投票券を購入できる場合がある。
【００８６】
一方、電話投票端末４からエラーメッセージが送信された場合には、場外投票端末７のＣＰＵ３８が、前述のステップｃ１４の判定処理で此れを検出し、初期の待機状態に復帰する。この場合、当日会員番号Ｄ０と当日会員用パスワードＤ１の入力操作をユーザがミスしたのであれば、ステップｃ１１以降の処理を再実行することで、所期の場外投票券の購入を実現することが可能である。しかし、当日会員としてデータベースＦに登録されていない第三者が悪戯で情報を入力したような場合では、当日会員番号Ｄ０と当日会員用パスワードＤ１がデータベースＦに登録済みの値と一致する確率は事実上皆無であり、不正な悪戯操作が確実に防止される。
【００８７】
また、電話投票端末４のＣＰＵ１７は、ステップｂ１〜ステップｂ６の入力判定処理とステップｂ７の通常処理を繰り返し実行しており、例えば、電話投票センターのオペレータがキーボード２３を操作して競技結果を入力すると、競技結果の入力がステップｂ４の判定処理で検出される。
【００８８】
競技結果の入力が検出された場合、電話投票端末４の払戻金加算手段Ｊとして機能するＣＰＵ１７は、データベースＦを検索するための指標ｊの値を一旦０に初期化し（ステップｂ３５）、改めて１インクリメントした後（ステップｂ３６）、該指標ｊの値がデータベースＦのレコードの総数を示すカウンタｉの現在値を超えているか否かを判定する（ステップｂ３７）。
【００８９】
指標ｊの値がレコードの総数ｉを超えていなければ、払戻金加算手段Ｊとして機能するＣＰＵ１７は、該指標ｊの現在値に基いてデータベースＦから第ｊ番目のレコードを検索し（ステップｂ３８）、このレコードの内容が現時点で削除されていないかどうかを確認し（ステップｂ３９）、削除されていなければ当該レコードの内容を読み込んで（ステップｂ４０）、このレコードの投票内容Ｄ６のデータフィールドに記憶されている予想的中馬や予想的中艇の名称が今回の競技結果と一致しているか否かを判定する（ステップｂ４１）。
【００９０】
そして、的中していれば、当該レコードの残高Ｄ５に払戻金を加算し（ステップｂ４２）、また、的中していなければ、当該レコードの残高Ｄ５の現在値を其のまま保持する。
【００９１】
払戻金加算手段Ｊとして機能するＣＰＵ１７は、指標ｊの値がレコードの総数ｉを超えるまで前記と同様の処理を繰り返し実行し、データベースＦに登録されているユーザの全てのレコードに対して予想の当たり外れの判定と、当たった場合の払戻金の加算処理を実行する。
【００９２】
そして、最終的に指標ｊの値がレコードの総数ｉを超えてステップｂ３７の判定結果が真となった時点でデータベースＦの全てのレコードに対する判定処理と払い戻し処理が完了し、ＣＰＵ１７は初期の待機状態に復帰する。
【００９３】
以上が、電話投票端末４の払戻金加算手段Ｊとして機能するＣＰＵ１７の処理であり、この処理は、競技が終了して競技結果が入力される度に繰り返し実行される。
【００９４】
また、場合によっては、１日の競技の終了を待つことなく、ユーザが残高Ｄ５の状況を確認したり、あるいは、途中で遊技を終了させたいといった場合もある。
【００９５】
そうした場合、ユーザは、場外投票端末７の要求入力手段Ｐとして機能するキーボード４２を操作して当日会員番号Ｄ０と当日会員用パスワードＤ１を指定して場外投票端末７に表示要求を入力する。
【００９６】
この表示要求はステップｃ１〜ステップｃ３の入力判定処理を繰り返し実行している場外投票端末７のＣＰＵ３８によってステップｃ３の判定処理で検出される。
【００９７】
ＣＰＵ３８は、これらのデータをネットワーク８経由で電話投票端末４に表示要求データとして送信し（ステップｃ１７）、電話投票端末４からの返信を待つ待機状態に入る（ステップｃ１８，ステップｃ２４）。
【００９８】
場外投票端末７から送信された表示要求データは、ステップｂ１〜ステップｂ６の入力判定処理とステップｂ７の通常処理を繰り返し実行している電話投票端末４のＣＰＵ１７により、ステッｂ５の判定処理で検出される。
【００９９】
電話投票端末４のＣＰＵ１７は、図７に示されるようなデータベースＦを検索し（ステップｂ４３）、ステップｂ５の処理で受信した当日会員番号Ｄ０と当日会員用パスワードＤ１に一致する当日会員番号と当日会員用パスワードを有するレコードがデータベースＦに登録されているか否かを判定し（ステップｂ４４）、一致するレコードがデータベースＦに登録されていれば、このレコードに記憶されている残高Ｄ５の値を読み込んで（ステップｂ４５）、この値をネットワーク８経由で場外投票端末７に送信し（ステップｂ４６）、場外投票端末７からの返信を待つ待機状態に入る（ステップｂ４７〜ステップｂ４８）。
【０１００】
また、ステップｂ４４の判定結果が偽となってステップｂ５の処理で受信した当日会員番号Ｄ０と当日会員用パスワードＤ１に一致する当日会員番号と当日会員用パスワードを有するレコードがデータベースＦに登録されていないことが明らかとなった場合、つまり、当日会員番号Ｄ０と当日会員用パスワードＤ１の入力操作をユーザがミスした場合、あるいは、当日会員としてデータベースＦに登録されていない第三者が悪戯で要求入力手段Ｐとして機能する場外投票端末７のキーボード４２を操作したような場合には、電話投票端末４のＣＰＵ１７が、ネットワーク８経由で場外投票端末７にエラー信号を送信する（ステップｂ５１）。
【０１０１】
電話投票端末４から残高Ｄ５の値が送信された場合、場外投票端末７のＣＰＵ３８は、前述したステップｃ１８の判定処理で残高Ｄ５の入力を検出し、残高Ｄ５の値をモニタ４３に表示してユーザに知らせた後（ステップｃ１９）、ユーザがキーボード４２を操作して継続要求もしくは終了要求を入力するのを待つ待機状態に入る（ステップｃ２０〜ステップｃ２１）。
【０１０２】
一方、電話投票端末４からエラー信号が送信された場合、場外投票端末７のＣＰＵ３８は、前述したステップｃ２４の判定処理でエラー信号の入力を検出し、モニタ４３にエラーメッセージを表示してから（ステップｃ２５）、初期の待機状態に復帰する。当日会員としてデータベースＦに登録されていない第三者が悪戯で表示要求を入力したような場合が考えられるからである。
【０１０３】
前述のようにして残高Ｄ５の値がモニタ４３に表示された場合、ユーザは、更に、要求入力手段Ｐとして機能するキーボード４２を操作して継続要求もしくは終了要求の何れか一方を入力することが可能である。
【０１０４】
継続要求は、ユーザが当該時点では最終的な払い戻しを実行せずに遊技を継続する場合に入力し、また、終了要求は、ユーザが当該時点で最終的な払い戻しを実行して遊技を終了する場合に入力するものとする。
【０１０５】
ここで、ユーザが継続要求を入力した場合には場外投票端末７から電話投票端末４にネットワーク８経由で継続要求信号が送信され（ステップｃ２３）、また、ユーザが終了要求を入力した場合には、場外投票端末７の終了要求データ送信手段Ｓとして機能するＣＰＵ３８がネットワーク８経由で電話投票端末４に終了要求信号を送信することになる（ステップｃ２２）。
【０１０６】
場外投票端末７から継続要求信号が送信された場合、電話投票端末４のＣＰＵ１７は、前述したステップｂ４７の判定処理で継続要求信号の入力を検出し、初期の待機状態に復帰する。
【０１０７】
また、場外投票端末７から終了要求信号が送信された場合、電話投票端末４のＣＰＵ１７は、前述したステップｂ４８の判定処理で終了要求信号の入力を検出し、当日会員データ個別清算削除手段Ｔとして機能するＣＰＵ１７が、ステップｂ４４の判定処理で一致を判定されたユーザのレコードの口座番号Ｄ２，口座番号用パスワードＤ３，許諾情報Ｄ４，残高Ｄ５のデータをネットワーク８経由で金融機関端末５に送信して金融機関端末５への振り込み処理を行い（ステップｂ４９）、当該ユーザのレコードつまり当日会員番号Ｄ０を有するレコードをデータベースＦから削除する（ステップｂ５０）。
【０１０８】
電話投票端末４から送信された口座番号Ｄ２，口座番号用パスワードＤ３，許諾情報Ｄ４，残高Ｄ５のデータは、ステップｄ１〜ステップｄ３の入力判定処理を繰り返し実行している金融機関端末５のＣＰＵ２８により、ステッｄ３の判定処理で検出され、金融機関端末５の振り込み受付手段Ｏとして機能するＣＰＵ２８が、ステップｄ３の処理で受信した口座番号Ｄ２や口座番号用パスワードＤ３に基いて当該金融機関に設置された預金口座のデータベース（図示せず）を検索して当該ユーザの預金口座の特定および認証を行い（ステップｄ１５）、当該預金口座の預金残高Ｘ１に電話投票端末４から送信された残高Ｄ５の値を加算して、電話投票端末４の当日会員データ清算削除手段Ｔからの振り込みを受け付ける（ステップｄ１６）。
【０１０９】
従って、ユーザは、当日に実施される全ての競技の終了を待つことなく、ユーザ毎の希望に応じて、任意の時期に払戻金の清算を行うことができる。
【０１１０】
また、電話投票端末４のＣＰＵ１７は、ステップｂ１〜ステップｂ６の入力判定処理とステップｂ７の通常処理を繰り返し実行しており、例えば、電話投票センターのオペレータがキーボード２３を操作して全ての競技の終了を宣言すると、この入力操作がステップｂ６の判定処理で検出される。
【０１１１】
全ての競技の終了が宣言されると、電話投票端末４の当日会員データ清算削除手段Ｋとして機能するＣＰＵ１７は、データベースＦを検索するための指標ｊの値を一旦０に初期化し（ステップｂ５２）、改めて１インクリメントした後（ステップｂ５３）、該指標ｊの値がデータベースＦのレコードの総数を示すカウンタｉの現在値を超えているか否かを判定する（ステップｂ５４）。
【０１１２】
指標ｊの値がレコードの総数ｉを超えていなければ、ＣＰＵ１７は、該指標ｊの現在値に基いてデータベースＦから第ｊ番目のレコードを検索し（ステップｂ５５）、このレコードの内容が現時点で削除されていないかどうかを確認し（ステップｂ５６）、削除されていなければ当該レコードの口座番号Ｄ２，口座番号用パスワードＤ３，許諾情報Ｄ４，残高Ｄ５のデータをネットワーク８経由で金融機関端末５に送信して金融機関端末５への振り込み処理を行い（ステップｂ５７）、当該ユーザのレコードつまり当日会員番号Ｄ０を有するレコードをデータベースＦから削除する（ステップｂ５８）。
【０１１３】
電話投票端末４から送信された口座番号Ｄ２，口座番号用パスワードＤ３，許諾情報Ｄ４，残高Ｄ５のデータは、ステップｄ１〜ステップｄ３の入力判定処理を繰り返し実行している金融機関端末５のＣＰＵ２８により、ステッｄ３の判定処理で検出され、金融機関端末５の振り込み受付手段Ｏとして機能するＣＰＵ２８が、ステップｄ３の処理で受信した口座番号Ｄ２や口座番号用パスワードＤ３に基いて当該金融機関に設置された預金口座のデータベース（図示せず）を検索して当該ユーザの預金口座の特定および認証を行い（ステップｄ１５）、当該預金口座の預金残高Ｘ１に電話投票端末４から送信された残高Ｄ５の値を加算して、電話投票端末４の当日会員データ清算削除手段Ｔからの振り込みを受け付ける（ステップｄ１６）。
【０１１４】
電話投票端末４の当日会員データ清算削除手段Ｋとして機能するＣＰＵ１７は、指標ｊの値がレコードの総数ｉを超えるまで前記と同様にしてステップｂ５３〜ステップｂ５８の処理を繰り返し実行し、口座番号Ｄ２，口座番号用パスワードＤ３，許諾情報Ｄ４，残高Ｄ５のデータを受信した金融機関端末５のＣＰＵ２８が、其の都度、前記と同様にしてステップｄ１５〜ステップｄ１６の処理を繰り返すことで、データベースＦに登録されているユーザの全てのレコードについて残高Ｄ５を当該ユーザの預金口座に振り込む処理を実行する。
【０１１５】
そして、最終的に指標ｊの値がレコードの総数ｉを超えてステップｂ５４の判定結果が真となった時点で、電話投票端末４のＣＰＵ１７による全ての処理が完了する。
【０１１６】
従って、ユーザは金融機関に預金口座さえ持っていればよく、会員登録や新規の口座開設といった煩雑な諸手続を必要とせず、容易に公営競技の投票や払い戻しをキャッシュレスで行うことができ、しかも、一過性のユーザ（当日会員）に関わる認証情報である口座番号Ｄ２や口座番号用パスワードＤ３等の情報が当日限りでデータベースＦから削除されるので、口座番号や当該口座番号用パスワード等の個人情報が不用意に漏洩する心配もない。
【０１１７】
また、現行の電話投票端末を流用して場外投票券販売システムを構築することができるので、安価な設備投資で一過性のユーザに対処することができる。
【０１１８】
図７に当日会員用レコードを管理するデータベースＦの一例を示したが、このデータベースＦは、当日会員番号Ｄ０，当日会員用パスワードＤ１，金融機関における預金口座の認証情報となる口座番号Ｄ２と口座番号用パスワードＤ３，当該ユーザが金銭の引き落としや振込みに同意したことを示す許諾情報Ｄ４，残高Ｄ５，投票内容Ｄ６を記憶するデータフィールドを備えていればよく、これらのデータは、会員制のシステムで必要とされるデータ、即ち、正規会員の番号，正規会員用のパスワード，金融機関における正規会員の預金口座の認証情報である口座番号や口座番号用パスワード，正規会員が金銭の引き落としや振込みに同意したことを示す許諾情報や残高および正規会員から受け付ける投票内容と構造的には同様であるので、改めて一日会員用のデータベースＦを正規会員のものと別に設ける必要はなく、正規会員用のデータベースの一部を一日会員用のデータベースＦとして利用すること、つまり、現行の電話投票システムに当日会員用の枠を設けて転用することも可能である。
【図面の簡単な説明】
【０１１９】
【図１】本発明を適用した一実施形態の場外投票券販売システムの構成の概略について示したブロック図である。
【図２】同実施形態の電話投票端末，金融機関端末，当日会員登録端末，場外投票端末の機能の概略を示した機能ブロック図である。
【図３】同実施形態の当日会員登録端末の構成の概略を具体的に示したブロック図である。
【図４】同実施形態の電話投票端末の構成の概略を具体的に示したブロック図である。
【図５】同実施形態の金融機関端末の構成の概略を具体的に示したブロック図である。
【図６】同実施形態の場外投票端末の構成の概略を具体的に示したブロック図である。
【図７】同実施形態で利用されるデータベースの一例を示した概念図である。
【図８】当日会員登録端末のマイクロプロセッサが実行する処理の概略を示したフローチャートである。
【図９】電話投票端末のマイクロプロセッサが実行する処理の概略を示したフローチャートである。
【図１０】電話投票端末のマイクロプロセッサが実行する処理の概略を示したフローチャートの続きである。
【図１１】電話投票端末のマイクロプロセッサが実行する処理の概略を示したフローチャートの続きである。
【図１２】電話投票端末のマイクロプロセッサが実行する処理の概略を示したフローチャートの続きである。
【図１３】電話投票端末のマイクロプロセッサが実行する処理の概略を示したフローチャートの続きである。
【図１４】電話投票端末のマイクロプロセッサが実行する処理の概略を示したフローチャートの続きである。
【図１５】場外投票端末のマイクロプロセッサが実行する処理の概略を示したフローチャートである。
【図１６】場外投票端末のマイクロプロセッサが実行する処理の概略を示したフローチャートの続きである。
【図１７】場外投票端末のマイクロプロセッサが実行する処理の概略を示したフローチャートの続きである。
【図１８】金融機関端末のマイクロプロセッサが実行する処理の概略を示したフローチャートである。
【図１９】金融機関端末のマイクロプロセッサが実行する処理の概略を示したフローチャートの続きである。
【符号の説明】
【０１２０】
１  場外投票券販売システム
２  プッシュホン
３  公衆電話
４  電話投票端末
５  金融機関端末
６  当日会員登録端末
７  場外投票端末
８  ネットワーク
９  記憶装置
１０  マイクロプロセッサ（登録要求情報送信手段）
１１  ＲＯＭ
１２  ＲＡＭ
１３  インターフェイス回路
１４  キーボード（登録情報入力手段）
１５  モニタ（会員番号表示手段）
１６  入出力回路
１７  マイクロプロセッサ（認証情報送信手段，会員レコード登録手段，会員番号送信手段，当日口座設定手段，投票内容設定手段，払戻金加算手段，当日会員データ清算削除手段，当日会員データ個別清算削除手段）
１８  ＲＯＭ
１９  ＲＡＭ（一時記憶手段）
２０  ハードディスクドライブ
２１  ハードディスクドライブ（記憶装置）
２２  インターフェイス回路
２３  キーボード
２４  マウス
２５  モニタ
２６  プリンタ
２７  入出力回路
２８  マイクロプロセッサ（判定手段，許諾信号送信手段，振り込み受付手段，引き落とし受付手段）
２９  ＲＯＭ
３０  ＲＡＭ
３１  記憶装置
３２  インターフェイス回路
３３  キーボード
３４  マウス
３５  モニタ
３６  プリンタ
３７  入出力回路
３８  マイクロプロセッサ（当日口座設定要求データ送信手段，販売要求データ送信手段，終了要求データ送信手段）
３９  ＲＯＭ
４０  ＲＡＭ
４１  インターフェイス回路
４２  キーボード（要求入力手段）
Ａ  登録情報入力手段
Ｂ  登録要求情報送信手段
Ｃ  会員番号表示手段
Ｄ  一時記憶手段
Ｅ  認証情報送信手段
Ｆ  データベース
Ｇ  会員レコード登録手段
Ｈ  当日口座設定手段
Ｉ  投票内容設定手段
Ｊ  払戻金加算手段
Ｋ  当日会員データ清算削除手段
Ｌ  判定手段
Ｍ  許諾信号送信手段
Ｎ  引き落とし受付手段
Ｏ  振り込み受付手段
Ｐ  要求入力手段
Ｑ  当日口座設定要求データ送信手段
Ｒ  販売要求データ送信手段
Ｓ  終了要求データ送信手段
Ｔ  当日会員データ個別清算削除手段
Ｕ  会員番号送信手段
Ｄ０  当日会員番号
Ｄ１  当日会員用パスワード
Ｄ２  口座番号
Ｄ３  口座番号用パスワード
Ｄ４  許諾情報
Ｄ５  残高
Ｄ６  投票内容
【図１】
2006155318.tif 000003
【図２】
2006155318.tif 000004
【図３】
2006155318.tif 000005
【図４】
2006155318.tif 000006
【図５】
2006155318.tif 000007
【図６】
2006155318.tif 000008
【図７】
2006155318.tif 000009
【図８】
2006155318.tif 000010
【図９】
2006155318.tif 000011
【図１０】
2006155318.tif 000012
【図１１】
2006155318.tif 000013
【図１２】
2006155318.tif 000014
【図１３】
2006155318.tif 000015
【図１４】
2006155318.tif 000016
【図１５】
2006155318.tif 000017
【図１６】
2006155318.tif 000018
【図１７】
2006155318.tif 000019
【図１８】
2006155318.tif 000020
【図１９】
2006155318.tif 000021